(57)【要約】【課題】１種類のアンテナのみを有する衛星トランシーバは、それが搭載されているモバイルプラットフォームが世界中を移動した場合、十分なサービスを提供できないことがある。【解決手段】プラットフォームに搭載されたモバイルコミュニケータは、第１のアンテナと、第２のアンテナと、第１のアンテナ、第２のアンテナ、または第１のアンテナと第２のアンテナの両方を囲むように構成されたレードーム筐体と、制御部を含む。制御部は、第１アンテナを制御してデータを通信し、信号インジケータに応じて、第２アンテナを介した通信をテストし、第１アンテナの使用に関連する第１信号と第２アンテナの使用に関連する第２信号を比較し、第２信号が第１信号よりも所定閾値に近いならば、第１アンテナを介した通信を終了して第２アンテナを介した通信を開始し、第１信号が第２信号よりも所定閾値に近いならば、第１アンテナを介した通信を継続する。【選択図】図４
2018129843.tif 000002
【特許請求の範囲】
【請求項１】
第１のアンテナと、
第２のアンテナと、
前記第１のアンテナ、前記第２のアンテナ、または前記第１のアンテナと前記第２のアンテナの両方を囲むように構成されたレードーム筐体と、
制御部を備え、
前記制御部は、
前記第１アンテナを制御してデータを通信し、
信号インジケータに応じて、前記第２アンテナを介した通信をテストし、
前記第１アンテナの使用に関連する第１信号と前記第２アンテナの使用に関連する第２信号を比較し、
前記第２信号が前記第１信号よりも所定閾値に近いならば、前記第１アンテナを介した通信を終了して前記第２アンテナを介した通信を開始し、
前記第１信号が前記第２信号よりも前記所定閾値に近いならば、前記第１アンテナを介した通信を継続する、プラットフォームに搭載されたモバイルコミュニケータ。
【請求項２】
前記制御部は、前記第２アンテナを介した通信をテストするのと同時に前記第１アンテナを制御してデータを通信するように構成される、請求項１に記載のプラットフォームに搭載されたモバイルコミュニケータ。
【請求項３】
前記第１アンテナは、第１の地理的領域における第１の周波数帯を使用した動作に最適化されている、請求項１に記載のプラットフォームに搭載されたモバイルコミュニケータ。
【請求項４】
前記第２アンテナは、第２の地理的領域における前記第１の周波数帯または第２の周波数帯のいずれかを使用した動作に最適化されている、請求項３に記載のプラットフォームに搭載されたモバイルコミュニケータ。
【請求項５】
前記第１の地理的領域が北極または南極に近接し、前記第２の地理的領域が赤道に近接している、請求項４に記載のプラットフォームに搭載されたモバイルコミュニケータ。
【請求項６】
前記第１の周波数帯がＫｕバンド及びＫａバンドのうちの一方であり、前記第２の周波数帯がＫｕバンド及びＫａバンドのうちの他方である、請求項４に記載のプラットフォームに搭載されたモバイルコミュニケータ。
【請求項７】
前記信号インジケータは、信号対ノイズ比、減衰、干渉、劣化、及び電磁環境のうちの少なくとも１つを表す、請求項１に記載のプラットフォームに搭載されたモバイルコミュニケータ。
【請求項８】
前記プラットフォームに搭載されたモバイルコミュニケータが、飛行機、自動車、または船のいずれかに取り付けられている、請求項１に記載のプラットフォームに搭載されたモバイルコミュニケータ。
【請求項９】
モバイルプラットフォームに搭載されたモバイルコミュニケータと通信する方法であって、
前記モバイルコミュニケータの第１アンテナを介してデータを通信し、
信号インジケータを制御部で受け取り、
前記信号インジケータに応じて前記モバイルコミュニケータの第２アンテナを介して通信をテストし、
前記制御部で、前記第１アンテナを介したデータの通信に関連する第１信号と前記第２アンテナを介したデータの通信に関連する第２信号を比較し、
前記第２信号が前記第１信号よりも所定閾値に近いならば、前記第１アンテナを介した通信を終了して前記第２アンテナを介した通信を開始し、
前記第１信号が前記第２信号よりも前記所定閾値に近いならば、前記第１アンテナを介した通信を継続する、方法。
【請求項１０】
前記信号インジケータに応じて前記モバイルコミュニケータの第２アンテナを介して通信をテストすることは、前記第２アンテナを介した通信をテストすることと、前記第１アンテナを介してデータを通信することを同時に行うことを含む、請求項９に記載の方法。
【請求項１１】
前記第１アンテナは、第１の地理的領域における第１の周波数帯を使用した動作に最適化されている、請求項９に記載の方法。
【請求項１２】
前記第２アンテナは、第２の地理的領域における前記第１の周波数帯または第２の周波数帯のいずれかを使用した動作に最適化されている、請求項１１に記載の方法。
【請求項１３】
前記第１の地理的領域が北極または南極に近接し、前記第２の地理的領域が赤道に近接している、請求項１２に記載の方法。
【請求項１４】
前記第１の周波数帯がＫｕバンド及びＫａバンドのうちの一方であり、前記第２の周波数帯がＫｕバンド及びＫａバンドのうちの他方である、請求項１２に記載の方法。
【請求項１５】
前記信号インジケータは、信号対ノイズ比、減衰、干渉、劣化、及び電磁環境のうちの少なくとも１つを表す、請求項９に記載の方法。
【請求項１６】
前記第１アンテナ及び前記第２アンテナは、前記モバイルコミュニケータのレードーム筐体内に収容される、請求項９に記載の方法。
【請求項１７】
前記モバイルコミュニケータが、飛行機、自動車、または船のいずれかに取り付けられている、請求項１６に記載の方法。
【発明の詳細な説明】
【技術分野】
【０００１】
関連出願の相互参照
本出願は、参照により本明細書に組み込まれる、２０１３年２月１１日に出願された米国特許仮出願第６１／７６３，３５０号と、２０１３年１１月８日に出願された米国特許仮出願第６１／９０１，８４８号との利益を主張する。
【０００２】
本開示は、一般に、衛星ネットワークとのマルチリージョン通信を、いろいろな地域での使用に適したいろいろなアンテナを使用して提供するシステムと方法とに関し、より具体的には、モバイルプラットフォームが第１の地域から第２の地域に移動するにつれて衛星ネットワークへのアクセスを最適化するように制御される、第１の地域での使用に適した第１のアンテナと第２の地域での使用に適した第２のアンテナとを有する、モバイルプラットフォーム上に搭載されたコミュニケータに関する。
【背景技術】
【０００３】
動力飛行の始まり以来、機内の人々にとって、地上の人々と通信できることは最も重要なことであった。技術が進歩するに従って、この通信は、アナログ音声信号だけでなくデジタルデータを含み始めた。さらに、進歩は、航空機が陸地や海の上空、世界中のどこにいても通信を継続できるように、航空機が衛星と通信して情報を地上局へおよび地上局から中継することを可能にする技術をもたらす。最近になって、航空機の乗客は、特に、衛星システムを使用してインターネットにアクセスするために、これらの衛星システムへのアクセスを与えられた。航空機は、衛星システムに、衛星システムとの通信に適したアンテナまたはアンテナアレイを用いてアクセスすることができる。しかしながら、世界中のいろいろな位置は、通信を最適化するためにいろいろな種類のアンテナを要求し、そのため、１種類のアンテナのみを有する衛星トランシーバは、それが搭載されているモバイルプラットフォームが世界中を移動した場合、十分なサービスを提供できないことがある。特に、大陸横断ルートを飛行している航空機は、極緯度から赤道に向かって移動するにつれて、衛星システムと通信する能力の低下を経験することがある。
【発明の概要】
【発明が解決しようとする課題】
【０００４】
したがって、異なるアンテナが異なる地理的エリアと異なる大気条件とにおける使用に適している、複数の種類のアンテナを含むシステムを作成することは有利であり得る。システムは、アンテナのうちのどれを衛星ネットワークと通信するために使用するかを決定する、制御部またはプロセッサを含むことができる。
【課題を解決するための手段】
【０００５】
一実施形態では、さまざまな衛星との通信のための、モバイルプラットフォームに搭載されたモバイルコミュニケータは、第１の地理的領域における第１の周波数帯域を使用した動作に最適化された第１のアンテナと、第２の地理的領域における第１の周波数帯域または第２の周波数帯域のいずれかを使用した動作に適合された第２のアンテナと、地理的インジケータまたは信号インジケータのうちの１つまたは複数に基づいて、作動させるアンテナを決定するように構成された制御部またはプロセッサと、モバイルプラットフォームに搭載されたモバイルコミュニケータのための１つまたは複数の筐体またはレードームと、を含む。
【０００６】
別の実施形態では、さまざまな衛星とモバイルプラットフォームを使用して通信する方法は、さまざまな衛星と第１の周波数帯域で第１のアンテナを使用して通信することであって、第１のアンテナが第１の地理的位置における動作に最適化されている、通信することと、プロセッサを用いて、地理的インジケータと信号インジケータとのうちの１つに基づいて、第１のアンテナを介した通信を終了させ、第２のアンテナを介した通信を開始することを決定することであって、第２のアンテナが第２の地理的位置における動作に最適化されている、決定することと、さまざまな衛星と、第１の周波数帯域または第２の周波数帯域のいずれかで、第２のアンテナを使用して通信することと、を含む。
【０００７】
別の実施形態では、モバイルプラットフォームに搭載されたモバイルコミュニケータを用いて通信する方法は、モバイルコミュニケータの第１のアンテナを使用して第１の衛星との通信を確立することと、データパケットを、第１の衛星と、第１のアンテナを介して通信することと、地理的インジケータと信号インジケータとのうちの１つまたは複数を受信することと、地理的インジケータと信号インジケータとのうちの１つまたは複数に基づいて、プロセッサによって、第１のアンテナを介した通信を終了させ、モバイルコミュニケータの第２のアンテナを介した通信を開始することを決定することと、第１のアンテナを介した通信を終了させることと、第２のアンテナを、第１の衛星または第２の衛星のうちの１つとの通信を確立するように構成することと、データパケットを、第１の衛星または第２の衛星のうちの１つと、第２のアンテナを介して通信することと、を含む。
【０００８】
別の実施形態では、衛星通信システムは、ある周波数帯域での通信のための第１の衛星と、第１の領域から第２の領域に移動することができるモバイルプラットフォームと、モバイルプラットフォームに搭載されたモバイルコミュニケータであって、第１の周波数帯域または第２の周波数帯域のいずれかでの通信のための第１のアンテナアレイと、第１の周波数帯域または第２の周波数帯域のいずれかでの通信のための第２のアンテナアレイと、第１のアンテナアレイまたは第２のアンテナアレイを使用するかどうかを決定し、第１のアンテナアレイを選択的に有効および無効にし、第２のアンテナアレイを選択的に有効および無効にするように構成されたコミュニケータ制御部と、モバイルコミュニケータのための筐体と、を含むモバイルコミュニケータと、を含む。
【０００９】
以下に説明する図は、本明細書で開示されるシステムと方法とのさまざまな態様を描写している。各図が開示されたシステムと方法との具体的な態様の一実施形態を描写し、図の各々がそれらの可能な実施形態と一致するように意図されている、ということを理解すべきである。さらに、可能な限り、以下の説明は以下の図に含まれる参照番号を参照し、複数の図に描写される特徴は、一貫した参照番号を用いて指定される。
【図面の簡単な説明】
【００１０】
【図１】さまざまな衛星と、例示的なマルチリージョン衛星通信方法が説明される実施形態に従って動作することができる、モバイルプラットフォームに搭載されたモバイルコミュニケータを有するモバイルプラットフォームとのブロック図である。
【図２】モバイルプラットフォームに搭載されたモバイルコミュニケータ制御部のブロック図である。
【図３】説明される実施形態に従って動作する、例示的なマルチリージョン衛星通信方法の図である。
【図４】説明される実施形態に従って動作する、例示的なアンテナアレイ選択方法の図である。
【発明を実施するための形態】
【００１１】
以下の文章は多数の異なる実施形態の詳細な説明を明記するが、本発明の法的範囲は、本特許の最後に明記する特許請求の範囲の文言によって定義される、ということを理解すべきである。詳細な説明は、例示としてのみ解釈されるものであり、すべての可能な実施形態を説明することが不可能でないとしても現実的でないため、すべての可能な実施形態を説明しない。多くの代替的な実施形態を、現在の技術、またはそれもまた特許請求の範囲の中に含まれる、本特許の出願日の後に開発される技術を使用して実装することができる。
【００１２】
本特許の中で、「本明細書で使用する通り、用語『＿＿＿＿＿＿』は．．．を意味することを本明細書によって定義される」または同様の文を使用して、用語を明示的に定義しない限り、その用語の意味を、明示的または暗示によってのいずれでも、その明白なまたは通常の意味を超えて限定する意図はなく、本特許の（特許請求の範囲の文言以外の）任意の部分において述べることに基づいて、そのような用語の範囲が限定されると解釈されるべきでないこと、もまた理解すべきである。本特許の最後の特許請求の範囲において挙げる用語を、本特許において、１つの意味と一致するような方法で言及する限りにおいて、それは、読者を混乱させないように明確さのためのみに行われ、そのような特許請求の範囲の用語が、暗示またはそれ以外によっても、その１つの意味に限定されるということを意図していない。最後に、特許請求の範囲の要素が、「手段」という言葉と構造の説明のない機能とを挙げることによって定義されない限り、特許請求の範囲の要素の範囲を、米国特許法第１１２条第６段落の適用に基づいて解釈することを意図しない。
【００１３】
図１は、通信を、さまざまな衛星とマルチアンテナアレイを使用するモバイルプラットフォームとの間で提供するためのシステム１００の一実施形態を示している。システム１００を、第１の領域１０２と第２の領域１０４とのうちのいずれかまたは両方で使用することができる。第１の領域１０２および第２の領域１０４は、信号を、１つまたは複数の衛星と送受信するための、異なる環境を有する多数の領域のうちのいずれであってもよい。以下に説明する通り、システム１００のアンテナのうちの１つは、信号を、１つまたは複数の衛星と送受信するための異なる環境のために、システム１００の別のアンテナよりもより適切であり得る。第１の領域１０２と第２の領域１０４とを地理的に定義することができる。たとえば、第１の領域１０２は、赤道よりも北極または南極のいずれかに近い領域であり得、第２の領域１０４は、どちらかの極よりも赤道に近い領域であり得る。別の例では、第１の領域１０２を、最も近い衛星への照準角の線が、第２の領域１０４における最も近い衛星への照準角の線よりも比較的高い領域として定義することができる。第１の領域１０２と第２の領域１０４とを、大気条件によっても定義することができる。たとえば、第１の領域１０２を、周囲大気の湿気が、第２の領域１０４における周囲大気の湿気よりも比較的高い領域として定義することができる。別の例では、第１の領域１０２を、システム１００によって使用される周波数帯域への干渉が、第２の領域１０２におけるよりも多くある領域として定義することができる。第１の領域１０２と第２の領域１０４とを、境界１０３によって分けることができる。境界１０３は、固定の地理的境界（たとえば、北回帰線、南回帰線、など）であることができ、または第１の領域１０２と第２の領域１０４との間の移動する境界であることができる。
【００１４】
システム１００は、さまざまな衛星を含むことができ、第１の衛星１０６と第２の衛星１０８とを含んでいる。領域１０２と領域１０４とを地理的に定義する場合、衛星１０６および衛星１０８は、それぞれの第１の領域１０２と第２の領域１０４との上の静止軌道にあることができる。しかしながら、衛星１０６および衛星１０８が、任意の数の高度と速度とで地球を周回することができ、静止軌道になくてよいことが理解される。衛星１０６および衛星１０８は、モバイルプラットフォーム１１０に、およびモバイルプラットフォーム１１０から（以下で説明する接続１１４と接続１１６とを介して）、およびネットワーク１１２に、およびネットワーク１１２から（接続１１８と接続１２０とをそれぞれ介して）、情報を伝達する通信衛星であることができる。ネットワーク１１２は、専用のアクセスライン、単純な通常の電話線、衛星リンク、これらの組み合わせなどの、独自ネットワーク、公開のインターネット、仮想プライベートネットワークまたはある別の種類のネットワークであることができる。ネットワーク１１２がインターネットを備える場合には、データ通信は、ネットワーク１３０上でインターネット通信プロトコルを介して行うことができる。モバイルプラットフォーム１１０は、第１の領域１０２から第２の領域１０４に移動することができる、乗り物またはモバイルデバイスであることができる。図１に描写したモバイルプラットフォーム１１０は飛行機であるが、モバイルプラットフォーム１１０が、船、ボート、ヨット、潜水艦、自動車、トラック、オートバイ、ヘリコプター、ドローン、または大気、陸地、または海に沿って移動することができる他の乗り物であることができる、ということが理解される。１つのモバイルプラットフォーム１１０のみが図１に示されているが、さまざまな衛星を使用して、何十、何百、何千などものモバイルプラットフォーム１１０と通信することができるということが理解される。同様に、２つの衛星１０６および衛星１０８のみが図１に描かれているが、さまざまな衛星が、地球の全部または一部をカバーする何十、何百、または任意の数の衛星を含むことができる、ということが理解される。さらに、ネットワーク１１２は、知られている方法で互いに通信するかもしれず、しないかもしれない、何十、何百、または任意の数のサブネットワークから作られてよい。
【００１５】
システム１００は、第１のアンテナアレイ１３２と第２のアンテナアレイ１３４とモバイルプラットフォームに搭載されたモバイルコミュニケータ制御部１３６とレードーム筐体１３８とを備える、モバイルプラットフォームに搭載されたモバイルコミュニケータ１３０を含むことができる。第１のアンテナアレイ１３２を、第１の領域１０２において経験する条件の下での衛星との通信のために最適化することができる。たとえば、第１の領域１０２が、赤道よりも北極または南極のいずれかに近い場合、第１のアンテナアレイ１３２を、両極の近くでの動作によく適合させることができる。たとえば、第１のアンテナアレイ１３２は、ＡｅｒｏＳａｔ  ＨＲ６４００アンテナシステム、ＫｕＳｔｒｅａｍ  ２０００アンテナシステム、またはＡｕｒｏ  ＬＥアンテナであることができ、それらの仕様は、その全体が参照によって本明細書によって組み込まれる。第１のアンテナアレイ１３２は、さまざまな衛星と、図１に示す衛星１０６へのリンクであり得るリンク１１４を介して通信することができる。「第１のアンテナアレイ」という表現を本明細書で使用するが、第１のアンテナアレイ１３２が、単一アンテナまたは複数のアンテナを含むアレイであることができる、ということが理解される。第２のアンテナアレイ１３４を、第２の領域１０４において経験する条件の下での衛星との通信のために最適化することができる。たとえば、第２の領域１０４が赤道に近い場合、第２のアンテナアレイ１３４を、赤道の近くでの動作によく適合させることができる。たとえば、第２のアンテナアレイ１３４は、ＴｈｉｎＫｏｍ  Ｓｏｌｕｔｉｏｎｓ  Ｖａｒｉａｂｌｅ  Ｉｎｃｌｉｎａｔｉｏｎ  Ｃｏｎｔｉｎｕｏｕｓ  Ｔｒａｎｓｖｅｒｓｅ  Ｓｔｕｂ（ＶＩＣＴＳ）アレイであることができる。第２のアンテナ１３４は、また、Ｓｃｈｉｐｐｅｒｓ他による「Ｃｏｎｆｏｒｍａｌ  Ｐｈａｓｅｄ  Ａｒｒａｙ  Ｗｉｔｈ  Ｂｅａｍ  Ｆｏｒｍｉｎｇ  ｆｏｒ  Ａｉｒｂｏｒｎｅ  Ｓａｔｅｌｌｉｔｅ  Ｃｏｍｍｕｎｉｃａｔｉｏｎ」で説明されたコンフォーマル位相アレイアンテナアレイ、またはＧｕｉｄｏｎ他への米国特許第７，０６８，２３５号で説明されたアンテナシステムに類似であることができ、それらの両方が参照によって本明細書によって組み込まれる。第２のアンテナアレイ１３２は、さまざまな衛星と、衛星１０８または図１に示す複数の周波数帯域のうちの１つを使用する別の衛星へのリンクであり得るリンク１１６を介して通信することができる。「第２のアンテナアレイ」という表現を本明細書で使用するが、第２のアンテナアレイ１３４が、単一アンテナまたは複数のアンテナを含むアレイであることができる、ということが理解される。
【００１６】
システム１００は、多数の周波数帯域のうちのいずれかを使用して、メッセージを送受信することができる。衛星１０６と衛星１０８とへのメッセージと、衛星１０６と衛星１０８とからのメッセージとを、いくつかの知られている衛星通信帯域のうちの１つにおける周波数を有する波上に転調することができる。たとえば、衛星１０６と衛星１０８とへのメッセージと、衛星１０６と衛星１０８とからのメッセージとを、電磁スペクトルのマイクロ波帯における波上に転調することができる。特に、搬送波周波数は、１２〜１８ＧＨＺの間のＫｕバンドおよび／または２６．５〜４０ＧＨｚの間のＫａバンドであることができる。もちろん、マイクロ波スペクトルにおける他の周波数帯を使用することができる。さらに、マイクロ波スペクトルの外の周波数帯を使用することができる、ということが理解される。
【００１７】
モバイルプラットフォームに搭載されたモバイルコミュニケータ制御部／プロセッサ１３６は、さまざまな衛星と通信するためにどのアンテナアレイを使用するかを選択し、さまざまな衛星との通信を選択したアンテナアレイを使用して促進する、さまざまなソフトウェアアプリケーションと機能とを実行するように適合され、構成された、コンピュータまたはリアルタイム制御部であることができる。図２は、例示的なモバイルプラットフォームに搭載されたモバイルコミュニケータ制御部１３６のブロック図を示している。モバイルプラットフォームに搭載されたモバイルコミュニケータ制御部１３６は、データベース２１０（たとえば、１つまたは複数のハードディスクドライブ、光学記憶ドライブ、半導体記憶デバイス、など）にリンク２１８を介して動作可能に接続された制御部２０２を有することができる。データベース２１０は、モバイルプラットフォームに搭載されたモバイルコミュニケータ１３０の動作に関連するデータを記憶するように適合され、モバイルプラットフォームに搭載されたモバイルコミュニケータ制御部１３６は、モバイルプラットフォームに搭載されたモバイルコミュニケータ１３０の動作に関連するさまざまな機能とタスクとを実行する時、データベース２１０に記憶されたデータにアクセスすることができる。そのようなデータは、たとえば、ＧＰＳユニット２３０からの地理的位置データ、信号センサ２３２からのセンサデータ、複数のアプリケーション２２４のためのアプリケーションデータ、複数のルーチン２２６のためのルーチンデータ、または他の種類のデータを含むことができる。図示されていないが、追加的なデータベースを制御部２０２に知られている方法でつなぐことができる、ということに留意すべきである。
【００１８】
制御部２０２は、プログラムメモリ２０４と、（マイクロ制御部またはマイクロプロセッサと呼ぶことができる）プロセッサ２０６と、ランダムアクセスメモリ（ＲＡＭ）２０８と、入力／出力（Ｉ／Ｏ）回路２１４とを含むことができ、それらのすべてをアドレス／データバス２１６を介して相互に接続することができる。１つのマイクロプロセッサ２０６のみを示しているが、制御部２０２が複数のマイクロプロセッサ２０６を含むことができる、ということを理解すべきである。同様に、制御部２０２のメモリは、複数のＲＡＭ２０８と複数のプログラムメモリ２０４とを含むことができる。Ｉ／Ｏ回路２１４を１つのブロックとして示したが、Ｉ／Ｏ回路２１４が多数の異なる種類のＩ／Ｏ回路を含むことができる、ということを理解すべきである。プログラムメモリ２０４および／またはＲＡＭ２０８は、グラフィカルユーザインターフェース２２０と、モバイルプラットフォームに搭載されたモバイルコミュニケータ制御部２２２と、複数のソフトウェアアプリケーション２２４と、複数のソフトウェアルーチン２２６とを含むことができる。グラフィカルユーザインターフェース２２０は、プロセッサ２０６によって実行された時、（図示しない）ディスプレイに、情報をユーザに表示させ、および／またはユーザ、管理者、技術者などからの入力を受信させる命令のセットであることができ、モバイルプラットフォームに搭載されたモバイルコミュニケータ制御部１３６を構成するタスクを負う。モバイルプラットフォームに搭載されたモバイルコミュニケータ制御部２２２は、プロセッサ２０６によって実行された時、モバイルプラットフォームに搭載されたモバイルコミュニケータ制御部１３６に、本明細書で説明した例示的なモバイルプラットフォームに搭載されたモバイルコミュニケータ１３０に関連する機能を実行させる命令のセットであることができる。ＲＡＭ２０８とプログラムメモリ２０４とを、たとえば、半導体メモリ、磁気的な可読メモリ、および／または光学的な可読メモリとして実装することができる。信号センサ２３２を、第１のアンテナアレイ１３２にリンク２４２を介して、また第２のアンテナアレイ１３４にリンク２４４を介して動作可能に接続することができる。以下に説明する通り、モバイルプラットフォームに搭載されたモバイルコミュニケータ制御部１３６は、第１のアンテナアレイ１３２および／または第２のアンテナアレイ１３４を、それぞれのリンク２４２とリンク２４４とを使用して、有効または無効にすることができる。
【００１９】
ＧＰＳユニット２３０は、衛星ＧＰＳまたは他の適切なグローバルポジショニングプロトコル（たとえば、ロシア政府によって運用されているＧＬＯＮＡＳＳシステム）またはモバイルプラットフォーム１１０および／またはモバイルプラットフォームに搭載されたモバイルコミュニケータ制御部１３６の位置を見つけるシステムを使用することができる。位置データが航空機の初期参照ユニットから取得または導き出したデータである場合があるため、位置データが衛星から直接来る必要がない、ということを当業者は理解する。１つのＧＰＳユニット２３０のみが図２に示されているが、任意の数のＧＰＳユニット２３０を使用して地理的データを集めることができる。ＧＰＳユニット２３０を、図２に示す通り、モバイルプラットフォームに搭載されたモバイルコミュニケータ制御部１３６に一体化することができ、またはモバイルプラットフォーム１１０上に別にインストールして、地理的データをモバイルプラットフォームに搭載されたモバイルコミュニケータ制御部１３６に（たとえば、Ｉ／Ｏ回路２１４を介して）通信することができる。ＧＰＳユニット２３０によって集められた地理的データは、モバイルプラットフォーム１１０および／またはモバイルプラットフォームに搭載されたモバイルコミュニケータ制御部１３６の、経度と緯度の座標および／または高度についての情報を含むことができる。
【００２０】
信号センサ２３２を使用して、信号データを集めることができる。信号センサ２３２を、図２に示す通り、モバイルプラットフォームに搭載されたモバイルコミュニケータ制御部１３６に一体化することができ、またはモバイルプラットフォーム１１０上に別にインストールして、地理的データをモバイルプラットフォームに搭載されたモバイルコミュニケータ制御部１３６に（たとえば、Ｉ／Ｏ回路２１４を介して）通信することができる。１つの信号センサ２３２のみを図２に示したが、任意の数の信号センサ２３２を使用して信号データを集めることができる。信号データは、信号強度と信号品質とについての情報を含むことができる。信号センサ２３２は、信号対ノイズ比、減衰、干渉、劣化、電磁環境、またはモバイルプラットフォームに搭載されたモバイルコミュニケータ１３０が、どれだけ効果的に第１のアンテナアレイ１３２または第２のアンテナアレイ１３４のいずれかまたは両方を使用して、信号をさまざまな衛星に送信し、信号をさまざまな衛星から受信することができるか、ということに影響を与え得る要因を示す他の測定結果についての情報を集めることができる。
【００２１】
図３は、システム１００によって実装されるマルチリージョン衛星通信方法３００の例示的な実施形態を示すフロー図である。より具体的には、方法３００を、衛星１０６と衛星１０８とネットワーク１１２と連動した、モバイルプラットフォームに搭載されたモバイルコミュニケータ１３０によって実行することができる。モバイルプラットフォーム１１０が第１の領域１０２にある間、モバイルプラットフォームに搭載されたモバイルコミュニケータ１３０は、通信を、モバイルプラットフォーム１１０と第１の衛星１０６との間で、第１のアンテナアレイ１３２を使用して促進することができる（ブロック３０２）。モバイルプラットフォームに搭載されたモバイルコミュニケータ１３０は、その存在を第１の領域１０２において、地理的データまたは信号データを確認することによって定期的に確認することができる。その後、モバイルプラットフォームに搭載されたモバイルコミュニケータ１３０は、第１のアンテナアレイ１３２を介した通信を終了させ、第２のアンテナアレイ１３４を介した通信を開始することを決定する（ブロック３０４）。図４は、ブロック３０４を実装するために行われるステップについてのさらなる詳細を示している。第１のアンテナアレイ１３２を介した通信を終了させ、第２のアンテナアレイ１３４を介した通信を開始することを決定した後、モバイルプラットフォームに搭載されたモバイルコミュニケータ制御部１３６は、第１のアンテナアレイ１３２を、リンク２４２を使用して無効にし、第２のアンテナアレイ１３４を、リンク２４４を使用して有効にすることができる（ブロック３０６）。第２のアンテナアレイ１３４を有効にした後、モバイルプラットフォームに搭載されたモバイルコミュニケータ１３０は、モバイルプラットフォーム１１０と第２の衛星１０８との間の通信を、第２のアンテナアレイ１３４を使用して促進することができる。図１を再び参照すると、図１が第１の衛星１０６と第２の衛星１０８の両方の使用を示しているが、１つの衛星１０６または衛星１０８のみを使用しながら、方法３００を使用して、第１のアンテナアレイ１３２を介して通信し、第１のアンテナアレイ１３２を介した通信を終了させて、第２のアンテナアレイ１３４を用いた通信を開始し、第２のアンテナアレイ１３４を介して通信する（つまり、衛星１０６を使用して、両方の領域でモバイルプラットフォーム１１０と通信する）ことができる、ということが理解される。方法は、また、１つの周波数帯または周波数範囲を使用する、または第２の周波数帯または周波数範囲を用いる、１つまたは複数の衛星との通信も含むことができる。
【００２２】
図４は、ブロック３０４の一部としてシステム１００によって実装される、アンテナアレイ選択方法４００の例示的な実施形態を示すフロー図である。モバイルプラットフォームに搭載されたモバイルコミュニケータ制御部１３６は、第１のアンテナアレイ１３２を介した通信を終了させて、第２のアンテナアレイ１３４を介した通信を開始することが有利であり得るというインジケータを受信することができる（ブロック４０２）。インジケータを、地理的データまたは信号データから、またはそれらに基づいて導き出すことができる。モバイルプラットフォームに搭載されたモバイルコミュニケータ制御部１３６は、インジケータが、地理的インジケータまたは信号インジケータかどうかを判断することができる（ブロック４０４）。地理的インジケータは、緯度と経度の座標、高度、現在の地理的領域（たとえば、第１の領域１０２または第２の領域１０４）、境界１０３への近さ、境界１０３を超えたかどうか、などを含むことができる。信号インジケータは、上記で説明した信号データに関する情報を含むことができ、それには、信号品質、信号強度、などが特定の閾値を超えて変化したことを示すインジケータを含む。
【００２３】
インジケータが地理的インジケータの場合、インジケータを使用して、モバイルプラットフォーム１１０が第１の領域１０２を通過して第２の領域１０４に入った（または間もくなく通過して入る）ということを判断することができる（ブロック４０６）。第２のアンテナアレイ１３４が第２の領域１０４における動作により良く適合しているため、モバイルプラットフォームに搭載されたモバイルコミュニケータ制御部１３６は、第１のアンテナアレイ１３２に、停止し、第２のアンテナアレイ１３４を始動させるように指示することができる（ブロック４０８）。移行中、モバイルプラットフォームに搭載されたモバイルコミュニケータ制御部１３６は、ハンドオフ処理を実行して、第１のアンテナアレイ１３２と第２のアンテナアレイ１３４との使用の間の途切れのない移行を確実にすることができる。加えて、モバイルプラットフォームに搭載されたモバイルコミュニケータ１３０が第１の衛星１０６と通信を継続する場合、衛星１０６がハンドオフ処理を実行することができる。代替的に、モバイルプラットフォームに搭載されたモバイルコミュニケータ１３０が第２の衛星１０８と第２の領域１０４において通信する場合、さまざまな衛星がハンドオフ処理を実行して、第１の衛星１０６から第２の衛星１０８への途切れのない移行を確実にすることができる。
【００２４】
インジケータが信号インジケータである場合、インジケータを使用して、モバイルプラットフォーム１１０が第１の領域１０２を通過して第２の領域１０４に入った（または間もなく通過して入る）ということを判断することができる（ブロック４１０）。しかしながら、信号に基づいた領域の判断が地図上の境界でない場合があるため、第１のアンテナアレイ１３２と第２のアンテナアレイ１３４の両方をテストして、モバイルプラットフォーム１１０の現在位置と動作環境とに対してどちらがより適しているかを決定することが有利であり得る。したがって、第１のアンテナアレイ１３２を停止させようとなかろうと、モバイルプラットフォームに搭載されたモバイルコミュニケータ制御部１３６は、第２のアンテナアレイ１３４をテストして、第２のアンテナアレイ１３４を使用することが信号の改善に関連するかどうかを判断することができる（ブロック４１２）。第１のアンテナアレイ１３２の使用に関連する信号データを第２のアンテナアレイ１３４の使用に関連する信号データに比較して、どちらのアンテナがより良い信号を有しているかを判断することができる（ブロック４１４）。両方のアンテナからの信号を、信号センサによって継続的に監視することができる。代替的に、両方のアンテナが「ロック」を同時に受信することができ、どのリンクが「閉じる」かを決定するのにセンサを使用することができる（双方向で通信する）ため、個別の測定を必要としない。より良い信号は、より高い信号品質と、より大きい信号電力と、１つまたは複数の最適動作パラメータにより近い信号などとを含むことができる。第１のアンテナアレイ１３２を使用することからの信号が、第２のアンテナアレイ１３４を使用することからの信号よりも良い場合、モバイルプラットフォームに搭載されたモバイルコミュニケータ制御部１３６は、第１のアンテナアレイ１３２を使用することを継続し、第２のアンテナアレイ１３４を停止することを決定することができる（ブロック４１６）。方法３００は終了することができ、または方法３００は、ループして第２のインジケータを受信するまで待ち、アンテナアレイを切り替えることが有利であり得るということを受信すると、上記で説明した処理を繰り返す。第２のアンテナアレイ１３４を使用することからの信号のほうが良い場合、モバイルプラットフォームに搭載されたモバイルコミュニケータ制御部１３６は、第１のアンテナアレイ１３２に、停止し、第２のアンテナアレイ１３４を始動させることを指示することができる（ブロック４１８）。移行中、モバイルプラットフォームに搭載されたモバイルコミュニケータ制御部１３６は、ハンドオフ処理を実行して、第１のアンテナアレイ１３２と第２のアンテナアレイ１３４との使用の間の途切れのない移行を確実にすることができる。加えて、モバイルプラットフォームに搭載されたモバイルコミュニケータ１３０が第１の衛星１０６と通信し続ける場合、衛星１０６がハンドオフ処理を実行することができる。代替的に、モバイルプラットフォームに搭載されたモバイルコミュニケータ１３０が第２の衛星１０８と第２の領域１０４において通信する場合、さまざまな衛星がハンドオフ処理を実行して、第１の衛星１０６から第２の衛星１０８への途切れのない移行を確実にすることができる。
【００２５】
本明細書を通して、複数の事例が、１つの事例として説明した構成要素、動作、または構造を実装することができる。１つまたは複数の方法のうちの個々の動作を別々の動作として示し、説明したが、個々の動作のうちの１つまたは複数を同時に実行することができ、動作を説明した順番で実行しなくてもよい。例示の構成において別々の構成要素として提示された構造と機能とを、一体化した構造または構成要素として実装することができる。同様に、１つの構成要素として提示された構造と機能とを、別々の構成要素として実装することができる。これらおよび他の変形、変更、追加、および改善は、本明細書の主題の範囲の中に含まれる。
【００２６】
加えて、特定の実施形態を、本明細書では、論理、または多数のルーチン、サブルーチン、アプリケーション、または命令を含むものとして説明した。これらは、ソフトウェア（たとえば、機械可読媒体上で具現化されるコード）またはハードウェアのいずれかを構成することができる。ハードウェアでは、ルーチンなどは、特定の動作を実行することができる有形ユニットであり、特定の方法で構成または配置することができる。例示的な実施形態では、１つまたは複数のコンピュータシステム（たとえば、独立型の、クライアントコンピュータシステムまたはサーバコンピュータシステム）、またはコンピュータシステムの１つまたは複数のハードウェアモジュール（たとえば、プロセッサ、またはプロセッサのグループ）を、本明細書で説明した特定の動作を実行するように動作するハードウェアモジュールとして、ソフトウェア（たとえば、アプリケーションまたはアプリケーションの一部）によって構成することができる。
【００２７】
さまざまな実施形態では、ハードウェアモジュールを機械的または電子的に実装することができる。たとえば、ハードウェアモジュールは、（たとえば、フィールドプログラマブルゲートアレイ（ＦＰＧＡ）または特定用途向け集積回路（ＡＳＩＣ）などの専用プロセッサとして、）特定の動作を実行するように恒久的に構成された、専用の回路または論理を備えることができる。ハードウェアモジュールは、また、ソフトウェアによって、特定の動作を実行するように一時的に構成された、プログラム可能な論理または回路（たとえば、汎用プロセッサまたは他のプログラム可能プロセッサの中に包含されたものとして）を備えることができる。ハードウェアモジュールを機械的に、専用の恒久的に構成された回路で、または（たとえば、ソフトウェアによって構成された）一時的に構成された回路で実装するという決定は、費用と時間とを考慮して行われるということが理解される。
【００２８】
したがって、「ハードウェアモジュール」という用語が、存在物が有形の存在物を包含し、本明細書で説明する特定の方法で動作するようにまたは特定の動作を実行するように、物理的に構築され、恒久的に構成され（たとえば、配線で接続されている）、または一時的に構成されている（たとえば、プログラムされている）ことを理解すべきである。ハードウェアモジュールが一時的に構成されている（たとえば、プログラムされている）実施形態を考慮すると、ハードウェアモジュールの各々を、時間のあるインスタンスにおいて構成またはインスタンス化する必要はない。たとえば、ハードウェアモジュールがソフトウェアを使用して構成された汎用プロセッサを備える場合、汎用プロセッサを、いろいろな時間におけるそれぞれ別のハードウェアモジュールとして構成することができる。ソフトウェアは、プロセッサを、たとえば、時間のあるインスタンスでは特定のハードウェアモジュールを構成し、時間のいろいろなインスタンスにおいていろいろなハードウェアモジュールを構成するように、適切に構成することができる。
【００２９】
ハードウェアモジュールは、情報を他のハードウェアモジュールに提供し、情報を他のハードウェアモジュールから受信することができる。したがって、説明したハードウェアモジュールを、通信的に連結されているものとして見なすことができる。複数のそのようなハードウェアモジュールが同時に存在する場合、通信を、ハードウェアモジュールを接続する（たとえば、適切な回路とバスとを介した）信号送信を通じて達成することができる。複数のハードウェアモジュールがいろいろな時間において構成またはインスタンス化される実施形態では、そのようなハードウェアモジュール間の通信を、たとえば、複数のハードウェアモジュールがアクセスを有するメモリ構造内における情報の記憶と取り出しとを通して達成することができる。たとえば、１つのハードウェアモジュールは、ある動作を実行し、その動作の出力を、ハードウェアモジュールが通信的に連結されているメモリ製品の中に記憶することができる。その結果、さらなるハードウェアモジュールが、後で、メモリ製品にアクセスして、記憶された出力を取り出し、処理することができる。ハードウェアモジュールは、また、入力製品または出力製品との通信を開始することができ、リソース（たとえば、情報の集合）に対して動作することができる。
【００３０】
本明細書で説明した例示的方法のさまざまな動作を、少なくとも部分的に、関連する動作を実行するように（たとえば、ソフトウェアによって）一時的に構成された、または恒久的に構成された、１つまたは複数のプロセッサによって実行することができる。一時的または恒久的に構成されているにかかわらず、そのようなプロセッサは、１つまたは複数の動作または機能を実行するように動作する、プロセッサに実装されたモジュールを構成することができる。本明細書で言及するモジュールは、いくつかの例示的な実施形態では、プロセッサに実装されたモジュールを備えることができる。
【００３１】
同様に、本明細書で説明した方法およびルーチンは、少なくとも部分的にプロセッサに実装され得る。たとえば、方法の動作のうちの少なくともいくつかを、１つまたは複数のプロセッサまたはプロセッサに実装されたハードウェアモジュールによって実行することができる。動作のうちのいくつかの実行を、１つのマシンの中に存在しているものだけでなく、多数のマシンに渡って展開されている１つまたは複数のプロセッサの間で分散させてよい。いくつかの例示的な実施形態では、プロセッサを１つの場所（たとえば、ホーム環境、オフィス環境、またはサーバファーム内）に配置することができ、一方、他の実施形態では、プロセッサを多数の場所に分散させてよい。
【００３２】
動作のうちのいくつかの実行を、１つのマシンの中に存在しているものだけでなく、多数のマシンに渡って展開されている１つまたは複数のプロセッサの間で分散させてよい。いくつかの例示的な実施形態では、１つまたは複数のプロセッサまたはプロセッサに実装されたモジュールを、１つの地理的場所（たとえば、ホーム環境、オフィス環境、またはサーバファーム）に配置することができる。他の例示的な実施形態では、１つまたは複数のプロセッサまたはプロセッサに実装されたモジュールを、多数の地理的場所に分散させてよい。
【００３３】
そうでないことを特に述べていない限り、「処理する」、「計算する」、「算出する」、「決定する」、「提示する」、「表示する」などの言葉を使用した本明細書における論考は、１つまたは複数のメモリ（たとえば、揮発性メモリ、非揮発性メモリ、またはそれらの組み合わせ）、レジスタ、または情報を受信、記憶、送信、または表示する、マシンの他の構成要素の中で物理的な（たとえば、電子、磁気、または光学の）量として表わされるデータを操作または変換するマシン（たとえば、コンピュータ）の動作または処理を指すことができる。
【００３４】
本明細書で使用する通り、「一実施形態」への言及は、その実施形態に関連して説明する特定の要素、特性、構造、または特徴が、少なくとも１つの実施形態に含まれることを意味する。「一実施形態では」という表現の本明細書の様々な場所での出現は、必ずしも全てが同じ実施形態を指しているわけではない。
【００３５】
いくつかの実施形態を、「連結された」と「接続された」という表現を使用して、それらの派生物と共に説明することができる。たとえば、いくつかの実施形態を「連結された」という言葉を使用して説明し、２つ以上の要素が直接物理的にまたは電気的に接触していることを示すことができる。しかしながら、「連結された」という言葉は、また、２つ以上の要素が互い直接接していないが、それにも関わらず互いに協働または相互作用するということも意味することができる。実施形態はこの文脈において限定されない。
【００３６】
本明細書で使用する通り、「備える」、「含む」、「有する」という言葉またはそれらの他の変形は、非排他的な包含を含むことを意図している。たとえば、要素の一覧を備える処理、方法、物、または装置は、必ずしもこれらの要素に限定されず、明示的に挙げられていない他の要素、またはそのような処理、方法、物、または装置に固有の他の要素を含むことができる。さらに、反対のことを明示的に述べない限り、「または」は、排他的論理和ではなく、包含的論理和のことを指す。たとえば、ＡまたはＢという条件は、以下のうちの１つによって満たされる。Ａが真で（または存在し）Ｂが偽である（または存在しない）、Ａが偽で（または存在せず）Ｂが真である（または存在する）、およびＡとＢの両方が真である（または存在する）。
【００３７】
加えて、「１つの（ａ）」「１つの（ａｎ）」の使用は、本明細書の実施形態の要素または構成要素を説明するために用いられる。これは、単に利便性のために、また説明について一般的な感覚を与えるために行われる。本明細書およびその後の特許請求の範囲は、それがそうでないことを意味すると明白でない限り、１つまたは少なくとも１つを含み、単数形が複数形も含むように読まれるべきである。
【００３８】
本発明を実施するための形態は、単に例示として解釈されるものであり、すべての可能な実施形態を説明することは、不可能でないとしても現実的でないため、すべての可能な実施形態を述べていない。多数の代替的な実施形態を、現在の技術または本出願の出願日より後に開発される技術のいずれかを使用して実装することができる。
【００３９】
態様１。さまざまな衛星と通信するためのモバイルプラットフォームに搭載されたモバイルコミュニケータであって、第１の周波数帯を使用した第１の地理的領域における動作に最適化された第１のアンテナと、前記第１の周波数帯または第２の周波数帯のいずれかを使用した第２の地理的領域における動作に最適化された第２のアンテナと、どのアンテナを始動させるかを、地理的インジケータまたは信号インジケータのうちの１つまたは複数に基づいて決定するように構成された制御部と、前記第１のアンテナ、前記第２のアンテナ、または前記第１のアンテナと前記第２のアンテナの両方を囲むように構成された、前記プラットフォームに搭載されたモバイルコミュニケータのためのレードーム筐体と、を備える、モバイルプラットフォームに搭載されたモバイルコミュニケータ。
【００４０】
態様２。前記モバイルプラットフォームに搭載されたモバイルコミュニケータが、飛行機、自動車、または船のうちの１つに取り付けられている、態様１に記載のモバイルプラットフォームに搭載されたモバイルコミュニケータ。
【００４１】
態様３。前記第１の地理的領域が北極または南極に近接し、前記第２の地理的領域が赤道に近接している、態様１または２のいずれかに記載のモバイルプラットフォームに搭載されたモバイルコミュニケータ。
【００４２】
態様４。前記第１の周波数帯がＫｕバンドまたはＫａバンドのうちの１つであり、前記第２の周波数帯がＫｕバンドまたはＫａバンドのうちの１つである、態様１から３のいずれか１つに記載のモバイルプラットフォームに搭載されたモバイルコミュニケータ。
【００４３】
態様５。前記地理的インジケータがＧＰＳ座標のセットである、態様１から４のいずれか１つに記載のモバイルプラットフォームに搭載されたモバイルコミュニケータ。
【００４４】
態様６。前記信号インジケータが、信号対ノイズインジケータ、スループットインジケータ、干渉インジケータ、ひずみインジケータ、または減衰インジケータのうちの１つである、態様１から４のいずれか１つに記載のモバイルプラットフォームに搭載されたモバイルコミュニケータ。
【００４５】
態様７。モバイルプラットフォームを使用してさまざまな衛星と通信する方法であって、前記さまざまな衛星と、第１の周波数帯で第１のアンテナを使用して通信することであって、前記第１のアンテナが第１の地理的位置における動作に最適化されている、通信することと、プロセッサを用いて、前記第１のアンテナを介した通信を終了させ、第２のアンテナを介した通信を開始することを、地理的インジケータまたは信号インジケータのうちの１つに基づいて決定することであって、前記第２のアンテナが第２の地理的位置における動作に最適化されている、決定することと、前記さまざまな衛星と、前記第１の周波数帯または第２の周波数帯のいずれかで、前記第２のアンテナを使用して通信することと、を備える、さまざまな衛星と通信する方法。
【００４６】
態様８。前記モバイルプラットフォームに搭載されたモバイルコミュニケータを、飛行機、自動車、または船のうちの１つに取り付けることをさらに備える、態様７に記載のさまざまな衛星と通信する方法。
【００４７】
態様９。前記第１のアンテナを北極または南極の近くでの動作に最適化することと、前記第２のアンテナを赤道の近くでの動作に最適化することとをさらに備える、態様７または８のいずれかに記載のさまざまな衛星と通信する方法。
【００４８】
態様１０。前記さまざまな衛星と、Ｋｕバンド、Ｋａバンド、または両方のうちの１つにおいて通信することをさらに備える、態様７から９のいずれか１つに記載のさまざまな衛星と通信する方法。
【００４９】
態様１１。前記第１のアンテナを介した通信を終了させ、前記第２のアンテナを介した通信を開始することを、前記地理的インジケータに基づいて決定することが、前記第１のアンテナを介した通信を終了させ、前記第２のアンテナを介した通信を開始することを、ＧＰＳ座標のセットまたは類似の位置データに基づいて決定することを備える、態様７から１０のいずれか１つに記載のさまざまな衛星と通信する方法。
【００５０】
態様１２。前記第１のアンテナを介した通信を終了させ、前記第２のアンテナを介した通信を開始することを、前記信号インジケータに基づいて決定することが、前記第１のアンテナを介した通信を終了させ、前記第２のアンテナを介した通信を開始することを、信号対ノイズインジケータ、スループットインジケータ、干渉インジケータ、ひずみインジケータ、または減衰インジケータのうちの１つに基づいて決定することを備える、態様７から１０のいずれか１つに記載のさまざまな衛星と通信する方法。
【００５１】
態様１３。モバイルプラットフォームに搭載されたモバイルコミュニケータを用いて通信する方法であって、前記モバイルコミュニケータの第１のアンテナを、第１の衛星との通信を確立するように構成することと、データパケットを前記第１の衛星と前記第１のアンテナを介して通信することと、地理的インジケータまたは信号インジケータのうちの１つまたは複数を受信することと、前記地理的インジケータまたは信号インジケータのうちの１つまたは複数に基づいて、プロセッサによって、前記第１のアンテナを介した通信を終了させ、前記モバイルコミュニケータの第２のアンテナを介した通信を開始することを決定することと、前記第１のアンテナを介した通信を終了させることと、前記第２のアンテナを、前記第１の衛星または第２の衛星のうちの１つとの通信を確立するように構成することと、データパケットを前記第１の衛星または前記第２の衛星のうちの１つと前記第２のアンテナを介して通信することと、を備える、モバイルプラットフォームに搭載されたモバイルコミュニケータを用いて通信する方法。
【００５２】
態様１４。前記モバイルプラットフォームに搭載されたモバイルコミュニケータを、飛行機、自動車、または船のうちの１つに取り付けることをさらに備える、態様１３に記載のモバイルプラットフォームに搭載されたモバイルコミュニケータを用いて通信する方法。
【００５３】
態様１５。前記第１のアンテナを北極または南極の近くでの動作に最適化することと、前記第２のアンテナを赤道の近くでの動作に最適化することとをさらに備える、態様１３または１４に記載のモバイルプラットフォームに搭載されたモバイルコミュニケータを用いて通信する方法。
【００５４】
態様１６。前記第１の衛星と前記第２の衛星と、Ｋｕバンド、Ｋａバンド、または両方のうちの１つにおいて通信することをさらに備える、態様１３から１５のいずれか１つに記載のモバイルプラットフォームに搭載されたモバイルコミュニケータを用いて通信する方法。
【００５５】
態様１７。前記第１のアンテナを介した通信を終了させ、前記第２のアンテナを介した通信を開始することを、前記地理的インジケータに基づいて決定することが、前記第１のアンテナを介した通信を終了させ、前記第２のアンテナを介した通信を開始することを、ＧＰＳ座標のセットまたは類似の位置データに基づいて決定することを備える、態様１３から１６のいずれか１つに記載のモバイルプラットフォームに搭載されたモバイルコミュニケータを用いて通信する方法。
【００５６】
態様１８。前記第１のアンテナを介した通信を終了させ、前記第２のアンテナを介した通信を開始することを、前記信号インジケータに基づいて決定することが、前記第１のアンテナを介した通信を終了させ、前記第２のアンテナを介した通信を開始することを、信号対ノイズインジケータ、スループットインジケータ、干渉インジケータ、ひずみインジケータ、または減衰インジケータのうちの１つに基づいて決定することを備える、態様１３から１６のいずれか１つに記載のモバイルプラットフォームに搭載されたモバイルコミュニケータを用いて通信する方法。
【図１】
2018129843.tif 000003
【図２】
2018129843.tif 000004
【図３】
2018129843.tif 000005
【図４】
2018129843.tif 000006